(57)【要約】【課題】  木質柱が揺振力でひび割れや座屈を起こすのを阻止し，かつ経年変化で縮径または拡径したときにも対応できる木造建築物における接合緊締用金具。【解決手段】  柱支持台ａ上の起立板１０と柱用芯板１，柱用押当板ｄを備え，柱用芯板１が雌螺条を有する螺孔１１を列設し，その螺孔１１の雌螺条に螺合する雄螺条１５を有する貫通係止ボルトｃを備えてなる柱脚構造用金具Ａと，Ｌ形枠２３の柱当接板２２の両側に梁用芯板２４と柱用芯板２５を設立した金具本体ｅ，梁用当接板ｆ，柱用押当板ｇおよび複数の貫通係止ボルトｈを備えてなり，その貫通係止ボルトｈが上記梁用芯板２４の螺孔２９に螺合する雄螺条３０を有する木造建築物における柱・梁接合構造用金具Ｅとで構成される木造建築物における接合緊締用金具。【選択図】  図１４
2007218043.tif 000002
【特許請求の範囲】
【請求項１】
ア．  内部を補強用の仕切り板（６）により仕切った鋼材製で角形短筒体をなす柱支持台（ａ）に，その天板（２）の上面中央に上記仕切り板（６）と対応一致させて起立した柱用芯板（１）と，その柱用芯板（１）の一側端面に当接しかつ天板（２）の一側辺縁部に起立した起立板（１０）とからなる柱受枠（ｂ）を一体に設け，
イ．  上記天板（２）の他側辺縁部において上記柱用芯板（１）の他側端面にボルトとナットにより脱着自在に取り付けられ，上記起立板（１０）に柱用芯板（１）を挟んで平行に対向し，これら起立板（１０）および柱用芯板（１）とで平面工の字形をなす柱用押当板（ｄ）を備え，
ウ．  上記柱用芯板（１）は，内周面に雌螺条を刻設した複数の螺孔（１１・ ・ ・）を所要の間隔で縦横に列設するとともに，端面に複数本の横ボルト（１２・ ・ ・）を同じく所要の間隔で列設し，
エ．  かつ，上記螺孔（１１）の雌螺条に螺合する雄螺条（１５）を中央所要長さ部分に刻設形成した複数の貫通係止ボルト（ｃ）を備えていることを特徴とする木造建築物における柱脚構造用金具。  
【請求項２】
ア．  木質柱（Ｃ）が，その下端部の中央に，上記柱脚構造用金具の柱受枠（ｂ）の柱用芯板（１）を受入する縦設溝（１７）を形成するとともに，外周の対向両側面にそれぞれ上記起立板（１０），柱用押当板（ｄ）を受入する切欠段部（１８，１９）を形成し，かつ，これら切欠段部（１８）と（１９）の間の部分に，複数のボルト用長孔（２０・ ・ ・）を上記縦設溝（１７）と直交する状態にして縦横に配列し，
イ．  上記柱受枠（ｂ）の柱用芯板（１）と起立板（１０）を，それぞれ木質柱（Ｃ）の縦設溝（１７）と切欠段部（１８）に挿入または嵌合して，木質柱（Ｃ）の底面を柱支持台（ａ）の天板（２）上に乗載し，
ウ．  上記柱用押当板（ｄ）を，そのボルト孔（１３・ ・ ・）を上記横ボルト（１２・ ・ ・）に嵌めて上記切欠段部（１９）に嵌入するとともにナット締めし，
エ．  木質柱（Ｃ）の上記ボルト用長孔（２０・ ・ ・）の各々に，その一側から貫通係止ボルト（ｃ）を挿入し，その雄螺条（１５）を螺孔（１１・ ・ ・）の雌螺条に噛合させてなることを特徴とする木造建築物における柱脚構造。
【請求項３】
ア．  底板（２１）の一側の端縁（２１′）を残した内方部位に柱当接板（２２）を設立してなるＬ形枠（２３）の内方中央において上記底板（２１）と柱当接板（２２）との間に梁用芯板（２４）を設立支持するとともに，上記Ｌ形枠（２３）の外方中央において上記端縁（２１′）と柱当接板（２２）との間に柱用芯板（２５）を設立支持してなる鋼材製の金具本体（ｅ）と，梁用当接板（ｆ），柱用押当板（ｇ）および複数の貫通係止ボルト（ｈ）とからなり，
イ．  上記金具本体（ｅ）の上記梁用芯板（２４）は，内周面に雌螺条を刻設した複数の螺孔（２９・ ・ ・）を所要の間隔で列設するとともに，該梁用芯板（２４）の上端面に複数の縦設ボルト（２６・ ・ ・）を植立し，
ウ．  上記金具本体（ｅ）の上記柱用芯板（２５）は，その外端面に複数の横設ボルト（３２・ ・ ・）を所要の間隔で植設し，
エ．  上記梁用当接板（ｆ）は，上記縦設ボルト（２６・ ・ ・）の各々と嵌合する複数の透孔（２７・ ・ ・）を所要の間隔で開設し，
オ．  上記柱用押当板（ｇ）は，上記柱用芯板（２５）の外端面に所要の間隔で植立した横設ボルト（３２・ ・ ・）の各々に嵌合する複数の透孔（３３・ ・ ・）を所要の間隔で植設し，
カ．  上記貫通係止ボルト（ｈ）は，その中央所要長さ部分に，上記螺孔（２９）の雌螺条に螺合する雄螺条（３０）を刻設形成していることを特徴とする木造建築物における柱・梁接合構造用金具。
【請求項４】
ア．  木質柱（Ｃ）が，木質梁（Ｇ）を接合する部分（Ｃ′）の中央内部に，上記柱・梁接合構造用金具の上記柱用芯板（２５）を受入する縦設溝（３５）を形成するとともに，上記部分（Ｃ′）の外周面に，上記縦設溝（３５）の前後両端開口に連続する角形凹処（３６，３７）を形成し，上記角形凹処（３６）の下辺部分に横溝（３６′）を連続形成し，
イ．  木質梁（Ｇ）が，上記木質柱（Ｃ）に接合する端部（３８）の中央内部に，上記柱・梁接合構造用金具の梁用芯板（２４）を受入する縦設溝（３９）を形成するとともに，上記端部（３８）の上面と下面に縦設溝（３９）の上下両開口に連続する角形凹処（４０，４１）を形成し，かつ，上記端部（３８）には，上記縦設溝（３９）を横断するようにして複数のボルト用長孔（４２・ ・ ・）を，上記梁用芯板（２４）の複数の螺孔（２９・ ・ ・）と同じ配置で横設貫通させ，
ウ．  上記柱・梁接合構造用金具の金具本体（ｅ）の柱用芯板（２５）を木質柱（Ｃ）の縦設溝（３５）に受入させ，横設ボルト（３２・ ・ ・）を角形凹処（３７）に突出させ，かつ，柱当接板（２２）を角形凹処（３６）に嵌入するとともに，底板（２１）の端縁（２１′）を横溝（３６′）に嵌入し，透孔（３３・ ・ ・）から突出する横設ボルト（３２・ ・ ・）にナット（３４・ ・ ・）を螺合緊締することによって，上記柱・梁接合構造用金具を木質柱（Ｃ）の所定位置に取り付け，
エ．  上記柱・梁接合構造用金具の金具本体（ｅ）の梁用芯板（２４）に，木質梁（Ｇ）の端部（３８）の上記縦設溝（３９）を嵌合させるとともに，該端部（３８）の底面の角形凹処（４１）を金具本体（ｅ）の底板（２１）に嵌合し，かつ，上記縦設溝（３９）に連続する上記角形凹処（４０）に嵌合した梁用当接板（ｆ）の透孔（２７・ ・ ・）から突出する上記縦設ボルト（２６・ ・ ・）をナット締めし，
オ．  かつ，木質梁（Ｇ）の端部（３８）のボルト用長孔（４２・ ・ ・）の各々に，その一側から挿入した貫通係止ボルト（ｈ）の雄螺条（３０）を上記梁用芯板（２４）の上記螺孔（２９・ ・ ・）の雌螺条に噛合させてなることを特徴とする柱・梁接合構造。
【請求項５】
請求項１記載の柱脚構造用金具（Ａ）と請求項３記載の柱・梁接合構造用金具（Ｅ）とからなることを特徴とする木造建築物における接合緊締用金具。
【請求項６】
請求項２記載の木造建築物における柱脚構造（Ｄ）と請求項４記載の木造建築物における柱・梁接合構造（Ｆ）とからなることを特徴とする木造建築物における接合緊締構造。
【発明の詳細な説明】
【技術分野】
【０００１】
本発明は，木造建築物における接合緊締構造とその金具，柱脚構造とその金具，および柱・梁接合構造とその金具に関する。
【背景技術】
【０００２】
木造建築物において二つの木質材を繋ぎ合わせる接合部分としては，柱と土台との接合部分，柱と梁（桁）との接合部分等があるが，これらの接合部分をどのような接合緊締用金具を使用し，どのような接合緊締構造とするかについて，既に様々なものが提案されている。
【０００３】
柱と土台の接合部分を例にみると，上面に芯板を直立した鋼材製の柱支持台を布基礎上にアンカーボルトで固定し，柱を，その下端部に掘削形成してある嵌合溝を上記芯板に嵌合した状態で上記柱支持台上に設立させ，ドリフトピンまたはボルト・ナットにより，その柱の下端部と芯板とを結合固定した構成のもの（特許文献１〜３）等がある。
【０００４】
また，柱と梁の接合部分を例にみると，柱の側面に所要の形状にした接合金具主体を固定するとともに，その接合金具主体に梁の端部を嵌合し，かつこれら接合金具主体と梁との間に楔片を打ち込むことにより，梁の全体を柱側に移動させ，その柱の側面に圧接緊締状態にするもの（特許文献４）や，上記接合金具主体の中央窓孔内に植設したボルトに螺合してあるナットを，そのボルトの先端側に螺進することにより梁全体を柱側に移動させ，その柱の側面に圧接緊締状態にするもの（特許文献５）等がある。
【０００５】
【特許文献１】特開２００１−１０７４５６号公報
【特許文献２】特開２００３−２１３８０３号公報
【特許文献３】特開平９−３１０４１３号公報
【特許文献４】実開平３−８２７０３号公報
【特許文献５】実開平３−９２２０１号公報
【発明の開示】
【発明が解決しようとする課題】
【０００６】
しかしながら，上記柱と土台の接合部分の接合緊締構造（柱脚構造）は，全体として剛体構造をなし，柱を柱支持台上に強固に設立しているとはいえ，地震等による揺振力が上記芯板の長さ方向に作用したときに比べ，厚さ方向に作用したときは脆弱であり，また，地震等による揺振力は，当然ながら，上記芯板の長さ方向や厚さ方向に常に直角に作用するとは限らず，これら両方向とは異なるあらゆる方向から作用する可能性があるが，そのようなときにはねじれ現象が起きることになる。
【０００７】
しかも，上記の揺振力が作用した場合，柱支持台と布基礎とは，その固定関係を損なうことは少ないとしても，柱は上記芯板および柱支持台との間にねじれ現象を起こし，その大きさや反復回数等により，ひび割れしたり座屈したりするおそれがある。
【０００８】
また，上記柱と梁の接合緊締構造において，楔片を打ち込んで緊締するタイプの接合構造では，柱と梁の必要にして十分な緊締強度は，楔片の適度な打ち込み度合（あるいは深さ）によってもたらされ，それが不足であっても過剰であってもならないものであるが，それは専ら熟練者の勘に頼りながら定性的に把握されているにすぎないのに対し，上記ナットをボルトの先端側に螺進して緊締するタイプの接合緊締構造は，その構造の緊締強度を定量的に把握でき，構築管理等を合理的に行えるという利点がある。
【０００９】
しかし、上記のようにナットをボルトの先端側に螺進することによる緊締は，その最終緊締位置がボルトの先端に近いほど，ボルトの根元に作用させる剪断力を大にする。また，木材の乾燥や振動に起因してボルトによる緊締が緩んだ場合には，当該ナットをさらに螺進して緊締しなおさない限り，緩んだままで放置されることになり，特に地震対策上好ましくないものである。
【００１０】
本発明の目的の一つは，このナットをボルトの先端側に螺進して緊締するタイプの接合緊締構造の改良に関し，上記欠点を解消することにある。
【００１１】
一般に梁や柱は，それが丸太からの製材であるとき当初含水率約３０％を経年低下させて縮径し，集成材であるとき当初含水率約７％を経年増加させて拡径するが，このような経年変化にともなう梁と柱の接合部の接合度合の変化，柱と柱支持台またはその上面の芯板との間の嵌合度または密着度の変化に，上記従来公知の構造のものでは全く対応しきれない。
【００１２】
本発明の他の目的は，第１に，従来に比べ梁と柱の接合度合，また，柱支持台と柱との結合固定を一層強固にすること，第２に，地震等による揺振力が何れの方向から作用した場合においても，梁や柱がひび割れや座屈を起こすのを阻止すること，第３に，柱が経年変化で縮径または拡径した場合には，梁や柱の結合固定関係を最も適切な状態に追従維持することができるようにすることにある。
【課題を解決するための手段】
【００１３】
請求項１記載の本発明の構成は次のとおりである。
ア）  内部を補強用の仕切り板６により仕切った鋼材製で角形短筒体をなす柱支持台ａに，その天板２の上面中央に上記仕切り板６と対応一致させて起立した柱用芯板１と，その柱用芯板１の一側端面に当接しかつ天板２の一側辺縁部に起立した起立板１０とからなる柱受枠ｂを一体に設けている。
イ）  上記天板２の他側辺縁部において上記柱用芯板１の他側端面にボルトとナットにより脱着自在に取り付けられ，上記起立板１０に柱用芯板１を挟んで平行に対向し，これらの起立板１０および柱用芯板１とで平面工の字形をなす柱用押当板ｄを備えている。
ウ）  上記柱用芯板１は，内周面に雌螺条を刻設した複数の螺孔１１・ ・ ・を所要の間隔で縦横に列設するとともに，端面に複数本の横ボルト１２・ ・ ・を同じく所要の間隔で列設している。
エ）  上記螺孔１１の雌螺条に螺合する雄螺条１５を中央所要長さ部分に刻設形成した複数の貫通係止ボルトｃを備えていることを特徴とする木造建築物における柱脚構造用金具である。  
【００１４】
請求項２記載の本発明の構成は次のとおりである。
ア）  木質柱Ｃが，その下端部の中央に，上記請求項１に係る柱脚構造用金具の柱受枠ｂの柱用芯板１を受入する縦設溝１７を形成するとともに，外周の対向両側面にそれぞれ上記起立板１０，柱用押当板ｄを受入する切欠段部１８，１９を形成し，かつ，これら切欠段部１８と１９の間の部分に，複数のボルト用長孔２０・ ・ ・を上記縦設溝１７と直交する状態にして縦横に配列している。
イ）  上記柱受枠ｂの柱用芯板１と起立板１０を，それぞれ木質柱Ｃの縦設溝１７と切欠段部１８に挿入または嵌合して，木質柱Ｃの底面を柱支持台ａの天板２上に乗載している。
ウ）  上記柱用押当板ｄを，そのボルト孔１３・・・を上記横ボルト１２・・・に嵌めて上記切欠段部１９に嵌入するとともにナット締めしている。
エ）  木質柱Ｃの上記ボルト用長孔２０・ ・ ・の各々に，その一側から貫通係止ボルトｃを挿入し，その雄螺条１５を螺孔１１・ ・ ・の雌螺条に噛合させてなることを特徴とする木造建築物における柱脚構造である。
【００１５】
請求項３記載の本発明の構成は次のとおりである。
ア）  底板２１の一側の端縁２１′を残した内方部位に柱当接板２２を設立してなるＬ形枠２３の内方中央において上記底板２１と柱当接板２２との間に梁用芯板２４を設立支持するとともに，上記Ｌ形枠２３の外方中央において上記端縁２１′と柱当接板２２との間に柱用芯板２５を設立支持してなる鋼材製の金具本体ｅと，梁用当接板ｆ，柱用押当板ｇおよび複数の貫通係止ボルトｈとからなる。
イ）  上記金具本体ｅの上記梁用芯板２４は，内周面に雌螺条を刻設した複数の螺孔２９・ ・ ・を所要の間隔で列設するとともに，該梁用芯板２４の上端面に複数の縦設ボルト２６・ ・ ・を植立している。
ウ）  上記金具本体ｅの上記柱用芯板２５は，その外端面に複数の横設ボルト３２・ ・ ・を所要の間隔で植設している。
エ）  上記梁用当接板ｆは，上記縦設ボルト２６・ ・ ・の各々と嵌合する複数の透孔２７・ ・ ・を所要の間隔で開設している。
オ）  上記柱用押当板ｇは，上記柱用芯板２５の外端面に所要の間隔で植立した横設ボルト３２・ ・ ・の各々に嵌合する複数の透孔３３・ ・ ・を所要の間隔で植設している。
カ）  上記貫通係止ボルトｈは，その中央所要長さ部分に，上記螺孔２９の雌螺条に螺合する雄螺条３０を刻設形成していることを特徴とする木造建築物における柱・梁接合構造用金具である。
【００１６】
請求項４記載の本発明の構成は次のとおりである。
ア）  木質柱Ｃが，木質梁Ｇを接合する部分Ｃ′の中央内部に，上記請求項３に係る柱・梁接合構造用金具の上記柱用芯板２５を受入する縦設溝３５を形成するとともに，上記部分Ｃ′の外周面に，上記縦設溝３５の前後両端開口に連続する角形凹処３６，３７を形成し，上記角形凹処３６の下辺部分に横溝３６′を連続形成している。
イ）  木質梁Ｇが，上記木質柱Ｃに接合する端部３８の中央内部に，上記柱・梁接合構造用金具の梁用芯板２４を受入する縦設溝３９を形成するとともに，上記端部３８の上面と下面に縦設溝３９の上下両開口に連続する角形凹処４０，４１を形成し，かつ，上記端部３８には，上記縦設溝３９を横断するようにして複数のボルト用長孔４２・ ・ ・を，上記梁用芯板２４の複数の螺孔２９・ ・ ・と同じ配置で横設貫通させている。
ウ）  上記柱・梁接合構造用金具の金具本体ｅの柱用芯板２５を木質柱Ｃの縦設溝３５に受入させ，横設ボルト３２・ ・ ・を角形凹処３７に突出させ，かつ，柱当接板２２を角形凹処３６に嵌入するとともに，底板２１の端縁２１′を横溝３６′に嵌入し，透孔３３・ ・ ・から突出する横設ボルト３２・ ・ ・にナット３４・ ・ ・を螺合緊締することによって，上記柱・梁接合構造用金具を木質柱Ｃの所定位置に取り付けている。
エ）  上記柱・梁接合構造用金具の金具本体ｅの梁用芯板２４に，木質梁Ｇの端部３８の上記縦設溝３９を嵌合させるとともに，該端部３８の底面の角形凹処４１を金具本体ｅの底板２１に嵌合し，かつ，上記縦設溝３９に連続する上記角形凹処４０に嵌合した梁用当接板ｆの透孔２７・ ・ ・から突出する上記縦設ボルト２６・ ・ ・をナット締めしている。
オ）  木質梁Ｇの端部３８  のボルト用長孔４２・ ・ ・の各々に，その一側から挿入した貫通係止ボルトｈの雄螺条３０を上記梁用芯板２４の上記螺孔２９・ ・ ・の雌螺条に噛合させてなることを特徴とする柱・梁接合構造である。
【００１７】
請求項５記載の本発明の構成は，請求項１記載の柱脚構造用金具（Ａ）と請求項３記載の柱・梁接合構造用金具（Ｅ）とからなることを特徴とする木造建築物における接合緊締用金具である。
【００１８】
請求項６記載の本発明の構成は，請求項２記載の木造建築物における柱脚構造（Ｄ）と請求項４記載の木造建築物における柱・梁接合構造（Ｆ）とからなることを特徴とする木造建築物における接合緊締構造である。
【発明の効果】
【００１９】
本発明によれば，従来に比べ梁と柱の接合度合，また，柱支持台と柱との結合固定を一層強固にし，また，地震等による揺振力が何れの方向から作用した場合においても，梁や柱がひび割れや座屈を起こすのを阻止すること，さらには，柱が経年変化で縮径または拡径した場合には，梁や柱の結合固定関係を最も適切な状態に追従維持することができる。
【発明を実施するための最良の形態】
【００２０】
以下に図示の実施例について詳述する。
【実施例】
【００２１】
以下に本発明の実施例を図面を参照しながら詳述する。
図１〜６は，木造建築物における柱と土台の接合部分である柱脚構造とその柱脚構造用金具を示している。
【００２２】
Ａは柱脚構造用金具で，概括的には，布基礎Ｂ上に乗載固定する鋼材製の柱支持台ａと，これと一体な同じく鋼材製の柱受枠ｂと，この柱受枠ｂの柱用芯板１と木質柱Ｃの下端部とを貫通係止する複数本の貫通係止ボルトｃと，上記柱用芯板１の端面に取外し自在に取り付ける柱用押当板ｄとからなる。
【００２３】
上記柱脚構造用金具Ａにより木質柱Ｃを起立支持した構造が柱脚構造Ｄで，その詳細を，上記柱支持台ａ，柱受枠ｂ等の構成とともに具体的に説明すると次のとおりである。
【００２４】
鋼材製の上記柱支持台ａは，各々正方形状の天板２，底板３および外側板４，５で形成された角形短筒体内を補強用の仕切り板６により２分してなる。
この柱支持台ａは，布基礎Ｂに植設したアンカーボルト７，７（一方のみ図示）を上記底板３のボルト孔８，８を通じ突出させ，その突出端部にナット９，９を螺合緊締することにより，布基礎Ｂ上に固定される（図６，１４）。
【００２５】
鋼材製の上記柱受枠ｂは，柱支持台ａの天板２の上面中央に上記仕切り板６と対応一致させて起立した上記柱用芯板１と，この柱用芯板１の一側端面に当接するとともに天板２の一側辺縁部に起立した，起立板１０とからなり，天板２の他側辺縁部において柱用芯板１の端面に柱用押当板ｄを脱着自在に取り付け，上記起立板１０に柱用芯板１を挟んで平行に対向させることができる。
上記柱用芯板１，柱用押当板ｄおよび起立板１０は，上記天板２等と同大の正方形状をなしている。
【００２６】
また，上記柱用芯板１は，内周面に雌螺条を刻設した複数の螺孔１１・ ・ ・を所要の間隔で縦横に列設するとともに，端面に複数本の横ボルト１２・ ・ ・を同じく所要の間隔で列設している。
【００２７】
上記貫通係止ボルトｃは，上記各正方形状の一辺の長さと同じ長さを有するとともに，その中央所要長さ部分に，上記螺孔１１の雌螺条に螺合する雄螺条１５を刻設形成し，かつ，少なくとも一側端面にレンチ係合部１６を有する。
【００２８】
上記柱用押当板ｄは，中央縦線に沿って所要の間隔で透孔１３・ ・ ・を設けていて，その各透孔１３・ ・ ・を上記横ボルト１２・ ・ ・に嵌合し，ナット１４・ ・ ・により，柱用芯板１の端面に脱着自在に取り付けられ，それによって，該柱用押当板ｄは柱受枠ｂの柱用芯板１および起立板１０とで平面工の字形をなす。
【００２９】
木質柱Ｃの下端部は，その中央に，柱受枠ｂの柱用芯板１を受入する縦設溝１７を掘削形成するとともに，この縦設溝１７と直交する対向両側面にそれぞれ上記起立板１０，柱用押当板ｄを受入する切欠段部１８，１９を形成し，さらに，これら切欠段部１８と１９の間の部分には，複数のボルト用長孔２０・ ・ ・を，上記縦設溝１７と直交する状態にしてかつ所要の間隔で縦横に列設している。
【００３０】
この木質柱Ｃの下端部と上記柱受枠ｂとは次のようにして嵌着する。
柱受枠ｂの柱用芯板１と起立板１０を，木質柱Ｃの縦設溝１７と切欠段部１８に挿入または嵌合して，木質柱Ｃの下端部の底面を柱支持台ａの天板２上に乗載する（図３）。
【００３１】
そして，上記柱用押当板ｄを，そのボルト孔１３・・・を横ボルト１２・・・に嵌めつつ，上記切欠段部１９に嵌入するとともに，その横ボルト１２・・・にナット１４・・・を緊締することにより，柱用押当板ｄを切欠段部１９の内面に密接する状態において柱用芯板１の端面に取り付ける。
【００３２】
さらに，木質柱Ｃのボルト用長孔２０・ ・ ・の各々に，その一側から貫通係止ボルトｃを回転させつつ挿入し，雄螺条１５を螺孔１１・ ・ ・の雌螺条に噛合させ，各貫通係止ボルトｃの両側端面を木質柱Ｃの外周対向面に位置させる。
このようにして，木質柱Ｃの下端部と柱脚構造用金具Ａとが，上下，前後および左右のいずれにも偏倚しない一体的関係をなして取り付けられ，かつ，木質柱Ｃは，その柱脚構造用金具Ａを介して布基礎Ｂ上に強固に起立保持されることになる（図４〜６）。
【００３３】
上記構成の柱脚構造Ｄにおいて，木質柱Ｃに地震等による揺振力が加わった場合，木質柱Ｃの下端部と一体的関係をなしかつ柱支持台ａとも一体をなす柱受枠ｂが，その柱用芯板１および起立板１０と上記柱用押当板ｄが平面工の字形をなした状態において協働して対抗し，その木質柱Ｃがび割れや座屈を起こすのを阻止する。
【００３４】
また，木質柱Ｃが，経年変化にともない柱受枠ｂの起立板１０や柱用芯板１との間の嵌合度または密着度に変化を生じたときには，横ボルト１２・・・に螺合しているナット１４・・・の緊締度を調整することにより，常に最も適切な状態を維持することができる。
【００３５】
なお，上記では，柱支持台ａとして，角形短筒体の内部を仕切り板６で左右または前後に仕切るものについて説明したが，強度をより一層強固にするために，角形短筒体の内部を十字に仕切ることも当然可能である。
【００３６】
次に，図７〜１３により，木造建築物における柱と梁（または桁，以下同じ。）の接合に使用する柱・梁接合構造用金具Ｅと，それを使用してなる柱・梁接合構造Ｆについて説明する。
【００３７】
まず，柱・梁接合構造用金具Ｅは，概括的には，長四角形の底板２１の長手方向一側の端縁２１′を残した内方部位に柱当接板２２を設立してなるＬ形枠２３の内方中央において上記底板２１と柱当接板２２との間に梁用芯板２４を設立支持するとともに，上記Ｌ形枠２３の外方中央において上記端縁２１′と柱当接板２２との間に柱用芯板２５を設立支持してなる鋼材製の金具本体ｅ，長四角形の梁用当接板ｆ，柱用押当板ｇおよび複数の貫通係止ボルトｈ等から構成される。
【００３８】
上記金具本体ｅの梁用芯板２４の上端面に縦設ボルト２６・ ・ ・を所要の間隔で植立し，上記梁用当接板ｆは，その中央に上記縦設ボルト２６・ ・ ・に嵌合する透孔２７・ ・ ・を所要の間隔で開設している。なお，２８は上記縦設ボルト２６・ ・ ・に螺合するナットと座金ある。
また，上記梁用芯板２４は，内周面に雌螺条を刻設した複数の螺孔２９・ ・ ・を所要の間隔で縦横に列設し，上記複数の貫通係止ボルトｈは，各々，その中央所要長さ部分に，上記螺孔２９の雌螺条に螺合する雄螺条３０を刻設形成し，かつ，少なくとも一側端面にレンチ係合部３１を有する。
【００３９】
上記金具本体ｅの柱用芯板２５は，その端面に複数の横設ボルト３２・ ・ ・を所要の間隔で列設し，柱用押当板ｇは，上記横設ボルト３２・ ・ ・に嵌合する複数の透孔３３・ ・ ・を列設している。３４・ ・ ・は各横設ボルト３２・ ・ ・に螺合するナットである。
【００４０】
次に，前記木質柱Ｃは，木質梁Ｇを接合する部分Ｃ′の中央内部に，柱・梁接合構造用金具Ｅの上記柱用芯板２５を受入する縦設溝３５を掘削形成し，さらに上記部分Ｃ′の外周面に，縦設溝３５の前後両端開口に連続する角形凹処３６，３７を対向する状態にして掘削形成している。３６′は上記角形凹処３６の下辺部分に連続形成した横溝である。
【００４１】
木質梁Ｇは，木質柱Ｃに接合する端部３８の中央内部に，柱・梁接合構造用金具Ｅの上記梁用芯板２４を受入する縦設溝３９掘削形成している。
【００４２】
また，木質梁Ｇは，端部３８の上面と下面に，縦設溝３９の上下両開口に連続する角形凹処４０，４１を対向する状態にして掘削形成し，その角形凹処４０に上記梁用当接板ｆが一致嵌合し，角形凹処４１には上記Ｌ形枠２３の底板２１が一致嵌合するようにしてある。
【００４３】
さらに，上記端部３８には，上記縦設溝３９を横断するようにして複数のボルト用長孔４２・ ・ ・を，上記梁用芯板２４の複数の螺孔２９・ ・ ・と同じ配置で横設貫通させている。
【００４４】
本発明柱・梁接合構造Ｆは，木質柱Ｃに木質梁Ｇの端部３８を接合緊締してなるもので，それにはまず，上記構成の柱・梁接合構造用金具Ｅを木質柱Ｃに対し次のように取り付ける。
すなわち，上記金具本体ｅの柱用芯板２５を木質柱Ｃの縦設溝３５に受入させることにより，横設ボルト３２・ ・ ・を角形凹処３７に突出させ，かつ，柱当接板２２を角形凹処３６に嵌入するとともに，底板２１端縁２１′を横溝３６′に嵌入する（図９）。
【００４５】
そして，上記柱用押当板ｇを上記角形凹処３５に嵌入し，横設ボルト３２・ ・ ・を透孔３３・ ・ ・から突出させ，その横設ボルト３２・ ・ ・の各々にナット３４・ ・ ・を螺合し緊締する。
これにより，柱・梁接合構造用金具Ｅが木質柱Ｃの所定位置にしっかりと取り付け固定される（図１０）。
【００４６】
木質梁Ｇは，上記柱・梁接合構造用金具Ｅの金具本体ｅに対し次のように取り付けられる。
すなわち，木質梁Ｇの端部３８を金具本体ｅに向けその上方から降下させ，該端部３８の縦設溝３９を金具本体ｅの梁用芯板２４に嵌合させるとともに，該端部３８の底面の角形凹処４１を金具本体ｅの底板２１に嵌合し，かつ，梁用芯板２４に植立した縦設ボルト２６・ ・ ・を，縦設溝３９に連続する上記角形凹処４０を通じその上方に突出させる。
【００４７】
これにより，木質梁Ｇの端部３８のボルト用長孔４２・ ・ ・が梁用芯板２４のボルト孔２９・ ・ ・に一致連通する（図９，１０）。
【００４８】
また，上記梁用当接板ｆを，上記角形凹処４０に嵌入し，上記縦設ボルト２６・ ・ ・を透孔２７・ ・ ・から突出させ，その縦設ボルト２６・ ・ ・の各々にナット２８・ ・ ・を螺進し緊締する。
さらに，木質梁Ｇのボルト用長孔４２・ ・ ・の各々に，その一側から貫通係止ボルトｈを回転させつつ挿入し，その雄螺条３０を梁用芯板２４の上記螺孔２９・ ・ ・の雌螺条に噛合させ，各貫通係止ボルトｈの両側端面を木質柱Ｃの外周対向面に位置させる（図１１）。
これによって，木質梁Ｇと木質柱Ｃが一体的関係においてしっかりと接合緊締され，所期の柱・梁接合構造Ｆが構成される（図１２，１３）。
【００４９】
上記構成の本発明柱・梁接合構造Ｆおいては，第１に，柱・梁接合構造用金具Ｅの金具本体ｅが，その柱用芯板２４を木質柱Ｃの縦設溝３９に受入させ，柱当接板２２を角形凹処３６に嵌入し，かつ，底板２１の端縁２１′を横溝３６′に嵌入するとともに，柱用押当板ｇを角形凹処３７に嵌入し，それを横ボルト３２・ ・ ・に螺合するナット３４・ ・ ・で緊締することにより，該柱・梁接合構造用金具Ｅが木質柱Ｃの所定位置に取り付け固定される。
【００５０】
第２に，その柱・梁接合構造用金具Ｅに対し，木質梁Ｇが，その端部３８の縦設溝３９を金具本体ｅの梁用芯板２４に嵌合させ，該端部３８の底面の角形凹処４１を金具本体ｅの底板２１に嵌合し，さらに，角形凹処４０に嵌入した梁用当接板ｆを，ナット２８・ ・ ・により緊締し，かつ，木質梁Ｇのボルト用長孔４２・ ・ ・の各々に挿入した貫通係止ボルトｈの雄螺条３０を梁用芯板２４の螺孔２９の雌螺条に緊密に噛合させることにより，すなわち，上記柱・梁接合構造用金具Ｅを介して，木質梁Ｇが木質柱Ｃの所要部位にしっかりと接合緊締される。
【００５１】
また，木質柱Ｃや木質梁Ｇが，経年変化にともない上記金具本体ｅの柱用芯板２５の嵌合度または密着度に変化を生じたときには，当該ナットによる緊締度を調整することにより，常に最も適切な状態を維持することができる。
【図面の簡単な説明】
【００５２】
【図１】本発明を構成する柱脚構造用金具の分解斜視図である。
【図２】当接板を除く上記柱脚構造用金具を木質柱の下端に対向配置した状態の斜視図である。
【図３】上記柱脚構造用金具を木質柱の下端に取り付けている状態の斜視図である。
【図４】同上の縦断面図である。
【図５】同じく同上の断面図で，ナットを緊締し，取付けを終えた状態を示す。
【図６】木質柱に取り付けた上記柱脚構造用金具の柱支持台を布基礎にアンカー止めした状態の斜視図である。
【図７】本発明を構成する柱・梁接合構造用金具の分解斜視図である。
【図８】木質柱の梁接合部の斜視図である。
【図９】上記木質柱の梁接合部に柱・梁接合構造用金具を取り付けている状態の斜視図である。
【図１０】上記木質柱の梁接合部に取り付けた柱・梁接合構造用金具に梁を取り付けている状態の斜視図である。
【図１１】同上の要部断面図である。
【図１２】上記木質柱の梁接合部に取り付けた柱・梁接合構造用金具に梁を取り付け終えた状態の斜視図である。
【図１３】同上の断面図である。
【図１４】上記柱脚構造用金具および柱・梁接合構造用金具からなる本発明接合緊締用金具による本発明木造建築物における接合緊締構造の透過斜視図である。
【符号の説明】
【００５３】
Ａ      柱脚構造用金具
Ｃ      木質柱
Ｃ′    部分
Ｄ      柱脚構造
Ｅ      柱・梁接合構造用金具
Ｆ      柱・梁接合構造
Ｇ      木質梁
ａ      柱支持台
ｂ      柱受枠
ｃ      貫通係止ボルト
ｄ      柱用押当板
ｅ      金具本体
ｆ      梁用当接板
ｇ      柱用押当板
ｈ      貫通係止ボル
１      柱用芯板
２      天板
６      仕切り板
１０    起立板
１１    螺孔
１２    横ボルト
１３    ボルト孔
１５    雄螺条
１７    縦設溝
１８    切欠段部
１９    切欠段部
２０    ボルト用長孔
２１    底板
２１′  端縁
２２    柱当接板
２３    Ｌ形枠
２４    梁用芯板
２５    柱用芯板
２７    透孔
２９    螺孔
３０    雄螺条
３２    横設ボルト
３３    透孔
３４    ナット
３５    縦設溝
３６    角形凹処
３６′  横溝
３７    角形凹処
３８    端部
３９    縦設溝
４０    角形凹処
４１    角形凹処
４２    ボルト用長孔
【図１】
2007218043.tif 000003
【図２】
2007218043.tif 000004
【図３】
2007218043.tif 000005
【図４】
2007218043.tif 000006
【図５】
2007218043.tif 000007
【図６】
2007218043.tif 000008
【図７】
2007218043.tif 000009
【図８】
2007218043.tif 000010
【図９】
2007218043.tif 000011
【図１０】
2007218043.tif 000012
【図１１】
2007218043.tif 000013
【図１２】
2007218043.tif 000014
【図１３】
2007218043.tif 000015
【図１４】
2007218043.tif 000016